(57)【特許請求の範囲】
【請求項１】
ガラスパネルを内側に配置した枠体、および前記ガラスパネルとの間に間隔をあけて前記枠体を室外側の面に取り付けたプレキャストコンクリートパネルを有するスパンドレル部と、ガラスパネルを取り付けた窓部と、を備えるカーテンウォールであって、
前記プレキャストコンクリートパネルの前記枠体を取り付けた枠体取付領域と隣接する隣接領域あるいは前記枠体取付領域と前記隣接領域との間には、目地部が形成され、
前記プレキャストコンクリートパネルには、前記ガラスパネルと前記枠体と前記プレキャストコンクリートパネルとに囲まれてなる中空層の空気を前記目地部に通気する通気路が形成され、
前記目地部は前記通気路の空気を室外に排出する排気構造を有し、
前記排気構造よりも下側に、室外の空気を前記中空層に導入可能な空気導入部が設けられていることを特徴とするカーテンウォール。
【請求項２】
前記空気導入部は前記枠体の下端部に設けられていることを特徴とする請求項１に記載のカーテンウォール。
【請求項３】
前記通気路には筒状の通気筒が取り付けられ、前記通気筒の上端は前記目地部の下端部よりも高い位置に配されていることを特徴とする請求項１または請求項２に記載のカーテンウォール。
【請求項４】
前記目地部をオープンジョイントで構成したことを特徴とする請求項１ないし請求項３のいずれか一項に記載のカーテンウォール。
【発明の詳細な説明】
【技術分野】
【０００１】
本発明は、カーテンウォールに関する。
【背景技術】
【０００２】
近年、現場においての施工が簡単で意匠性が高いカーテンウォールを、外装部に備える建物が増えている。カーテンウォールは、居住空間に対応する部分に配置される窓部と、窓部の上下であって、天井や床に対応する部分に配置される梁部（スパンドレル部）とを備えるカーテンウォールユニットを左右方向および上下方向にならべて配置したものである。
【０００３】
カーテンウォールユニットの窓部は、ガラスパネルにより室内外が仕切られており、スパンドレル部には、意匠性が高いという点から、窓部と同様に室外側にガラスパネルが取り付けられることが多い。このようなガラスパネルを備えるスパンドレル部には、耐火構造とするために、室内側に、耐火性のパネルが取り付けられ、これにより、ガラスパネルと耐火性のパネルとの間には、密閉状の空間が形成される。
【０００４】
このような構成のスパンドレル部においては、太陽光の照射により耐火パネルに含まれる水分が密閉状の空間に蒸発して空間内の湿度を上昇させ、この湿度の高い空気が外気温の低下などにより冷やされた際にガラスパネルに結露が生じることがある。ガラスパネルに結露が生じると、ガラスパネルを耐火性のパネルに取り付けている枠体（サッシ）の腐食などが懸念される。
【０００５】
そこで、スパンドレル部のガラスパネルにおける結露を防止するために、耐火パネルの表面のうち密閉状の空間に面する側の面に塗膜を形成して水分の蒸発を防止する方法や、特許文献１に提案されているように密閉状の空間と室内空間とを連通させる通気路を設け、必要に応じて通気路を開閉する方法などが採られている。
【先行技術文献】
【特許文献】
【０００６】
【特許文献１】特開２００８−２６７０２１号公報
【発明の概要】
【発明が解決しようとする課題】
【０００７】
しかしながら、耐火パネルの表面に塗膜を形成する方法では、室内外の温度差が大きい場合などに、湿度の高い空気が密閉状の空間に滞留することは防止できないため、湿度の高い空気の滞留により結露が発生することが懸念される。
【０００８】
特許文献１に提案されている方法において、室内外の温度差が大きいときなどに、通気路を開いたままにしておくと、室内外の温度差に起因して、室内で高湿度となった空気が密閉状の空間に流れこみ、この流れ込んだ空気が冷やされることにより結露が発生することがある。そのため、特許文献１に提案されている方法をとる場合には、通気路の開閉という煩雑な作業が必要である。
【０００９】
本発明は上記のような事情に基づいて完成されたものであって、煩雑な作業を必要とせずにスパンドレル部のガラスパネルの結露を防止できるカーテンウォールを提供することを目的とする。
【課題を解決するための手段】
【００１０】
上記課題を解決するものとして、本発明は、ガラスパネルを内側に配置した枠体、および前記ガラスパネルとの間に間隔をあけて前記枠体を室外側の面に取り付けたプレキャストコンクリートパネルを有するスパンドレル部と、ガラスパネルを取り付けた窓部と、を備えるカーテンウォールであって、前記プレキャストコンクリートパネルの前記枠体を取り付けた枠体取付領域と隣接する隣接領域あるいは前記枠体取付領域と前記隣接領域との間には、目地部が形成され、前記プレキャストコンクリートパネルには、前記ガラスパネルと前記枠体と前記プレキャストコンクリートパネルとに囲まれてなる中空層の空気を前記目地部に通気する通気路が形成され、前記目地部は前記通気路の空気を室外に排出する排気構造を有し、前記排気構造よりも下側に、室外の空気を前記中空層に導入可能な空気導入部が設けられているところに特徴を有する。
【００１１】
本発明において、空気導入部から中空層に導入された空気は、中空層を上方へ移動して、プレキャストコンクリートパネルに設けた通気路を通って、枠体取付領域と隣接する隣接領域あるいは枠体取付領域と隣接領域との間に形成された目地部の排気構造を介して建物外部に排気される。
【００１２】
本発明においては、目地部が中空層内の空気が排出される排気構造を有しており、中空層内に空気を導入する空気導入部が、排気構造を有する目地部よりも下側に設けられているので、空気導入部と空気を排出する部分（排気構造の設けられている部分）との間に、高低差がある。
【００１３】
したがって、本発明において、太陽光の照射等によりプレキャストコンクリートパネルに含まれる水分が蒸発したり、湿度の高い空気の流入等によりスパンドレル部の中空層内の空気の湿度が上昇したとしても、この湿度の高い空気は、中空層内に滞留せず、上方（排気構造を有する目地部のある方向）に円滑に移動して建物外部に排気される。その結果、本発明によれば、スパンドレル部のガラスパネルの結露を防止することができるのである。
【００１４】
また、本発明によれば、目地部（排気構造）と空気導入部はともに室外側に配されており、暖房加湿による室内の湿度の影響を受けにくく、室内空気の流入がないので結露発生の問題が生じ難い。その結果、本発明によれば、室内外の温度差がある場合でも空気導入部や排気構造を開閉する必要はない。
【００１５】
本発明は以下の構成としてもよい。
前記空気導入部は前記枠体の下端部に設けられていてもよい。
このような構成とすると、中空層を取り囲む部材である枠体に空気導入部を設けるので、空気導入部と中空層との間に空気を導入するために別部材（通気パイプなど）が不要である。
【００１６】
前記通気路には筒状の通気筒が取り付けられ、前記通気筒の上端は前記目地部の下端部よりも高い位置に配されていてもよい。このような構成とすると、雨水などが目地部を介して通気路内に侵入するのを確実に防止することができる。
【００１７】
前記目地部をオープンジョイントで構成してもよい。このような構成とすると、排気構造の面積が大きくなり換気量が多くなるため、結露防止効果を高めることができる。
【発明の効果】
【００１８】
本発明によれば、煩雑な作業を必要とせずにスパンドレル部のガラスパネルの結露を防止できるカーテンウォールを提供することができる。
【図面の簡単な説明】
【００１９】
【図１】実施形態１のカーテンウォールの一部裏面図
【図２】図１のＸ−Ｘ線におけるカーテンウォールの一部断面図
【図３】カーテンウォールユニットの一部断面図
【図４】スパンドレル部における空気の流れを説明する一部断面図
【図５】実施形態２のカーテンウォールの一部断面図
【図６】実施形態３のカーテンウォールの一部裏面図
【図７】スパンドレル部における空気の流れを説明する一部断面図
【図８】図７のＡ−Ａ線におけるカーテンウォールの一部断面図
【図９】他の実施形態（１）で説明するカーテンウォールの一部断面図
【発明を実施するための形態】
【００２０】
＜実施形態１＞
本発明の実施形態１を図１〜図４によって説明する。以下の説明において上下方向は各図に基づくものとし、図２〜図４における左側は室外側、右側は室内側を意味する。なお、図１は、室内側からみたカーテンウォール１の一部を示す図である。
本実施形態のカーテンウォール１は、建物の外装部に取り付けられるものであり、図１に示すように、複数個のカーテンウォールユニット１０を上下方向ならびに左右方向に並べて配置した状態で建物躯体２に取り付けられる。
【００２１】
カーテンウォールユニット１０は、図１および図２に示すように、建物躯体２の鉄骨３に設けたブラケット４に対してナットなどの取付金具５を螺合させることにより固定されており、プレキャストコンクリートパネル１１（ＰＣ版１１）と、ガラスパネル１９を内側に配置した枠体１７とを備える。枠体１７としては、アルミなどの金属製のサッシなどを用いることができる。
【００２２】
カーテンウォールユニット１０の上端部において、ＰＣ版１１には、図２に示すように、ひさし状に室外方向に突出した部分（ひさし部１２という）が形成されている。ＰＣ版１１のひさし部１２のすぐ下からカーテンウォールユニット１０の下端に至る領域には、ガラスパネル１９，２２が配置されている。
【００２３】
ＰＣ版１１にはひさし部１２のすぐ下側に、図３に示すように、断面略Ｃ字状をなし、室外側の面にガラスパネル１９を内側に配置した枠体１７が取り付けられている部分１３（Ｃ字部１３という）が設けられている。ＰＣ版１１のＣ字部１３に取り付けられた枠体１７およびガラスパネル１９は、室内側からは見えないので、図１においては、Ｃ字部１３の、枠体１７およびガラスパネル１９を取り付けた領域（枠体取付領域１４）は点線で示されている。
【００２４】
ＰＣ版１１のＣ字部１３の室外側の面１３Ａと、Ｃ字部１３に取り付けられた枠体１７の内側に配置したガラスパネル１９との間には所定間隔があけられており、これにより、ＰＣ版１１のＣ字部１３の室外側の面１３Ａとガラスパネル１９と枠体１７とに囲まれた空間１６（中空層１６）が形成されている。ＰＣ版１１のＣ字部１３に取り付けられている枠体１７の下端部には、室外の空気を中空層１６に導入可能な空気導入孔１８（空気導入部１８）が設けられている。
【００２５】
このＰＣ版１１のひさし部１２とＣ字部１３とを含む部分１５は、建物の天井や床に対応する部分に配置される梁部１５（スパンドレル部１５）である。スパンドレル部１５の下側に配置され、ガラスパネル２２を内側に配置した枠体２１が取り付けられている部分２０は、居住空間に対応する部分に配置される窓部２０である。本実施形態のカーテンウォール１においては、上下方向において窓部２０とスパンドレル部１５とが交互に配されている。
【００２６】
さて、ひさし部１２（ＰＣ版１１の枠体取付領域１４と隣接する隣接領域１２）の下側面には、図３に示すように、スパンドレル部１５をひさし部１２とＣ字部１３とに分断する目地部３０が形成されている。詳しくは、目地部３０は、ＰＣ版１１の枠体取付領域１４から室外方向に突出するひさし部１２の突出端１２Ａに形成されている。目地部３０には、後述する第１の通気路３１から室外に連通して第１の通気路３１に通気された空気を室外に排出する排気筒３５が取り付けられている（排気構造３５に相当）。目地部３０において、排気筒３５の周縁には、公知のシーリング材３６が充填されている。
【００２７】
また、ひさし部１２には、目地部３０の排気筒３５から連なる略Ｌ字状の第１の通気路３１が設けられている。詳しく説明すると、第１の通気路３１は目地部３０から上方に立ち上がったのち、室内側に向けて屈曲した屈曲部３１Ａを経てＰＣ版１１の室内側の面１１Ｂに至る位置まで形成されている。
【００２８】
第１の通気路３１の屈曲部３１Ａよりも室内側の部分３１Ｂでは、目地部３０よりも高さが高くなっている。第１の通気路３１の屈曲部３１Ａよりも室内側の部分３１Ｂには、後述する第２の通気路３３に取り付けた通気パイプ３４の上端３４Ａが配されている。また、第１の通気路３１の屈曲部３１Ａよりも室内側の部分３１Ｂには、室外の空気が室内に流入するのを遮断し、かつ室内の空気が第１の通気路３１に流入するのを遮断するパッキン３２が取り付けられている。
【００２９】
ＰＣ版１１のＣ字部１３の上端には、中空層１６の上端から室内側に連なったのち、上方に屈曲されて第１の通気路３１と連なる第２の通気路３３が形成されている。第２の通気路３３には塩化ビニル製の通気パイプ３４（筒状の通気筒３４）が取り付けられており、通気パイプ３４の上端３４Ａは第１の通気路３１内に突出するように配されている。つまり、通気パイプ３４はその上端３４Ａが目地部３０の下端部３０Ａよりも高い位置になるように配されており、これにより、雨水などが目地部３０を介して第２の通気路３３内に侵入するのを防止している。
【００３０】
次に、本実施形態の作用について、空気の流れる方向を矢線で示した図４を参照しつつ説明する。
本実施形態において、スパンドレル部１５の枠体１７に設けた空気導入孔１８から中空層１６に導入された空気は、図４に示すように、上方に移動して、ＰＣ版１１のＣ字部１３に設けた第２の通気路３３の通気パイプ３４内を通り、第１の通気路３１に入る。第１の通気路３１にはパッキン３２が取り付けられているので、第１の通気路３１に移動した空気は、室内側には移動せずに室外側へ移動し、ひさし部１２の突出端１２Ａに設けた目地部３０の排気筒３５を介して建物外部に排気される。
【００３１】
次に、本実施形態の効果について説明する。
本実施形態においては、枠体１７に中空層１６内に空気を導入する空気導入孔１８を形成し、空気導入孔１８よりも上側に設けられた目地部３０の排気筒３５を介して中空層１６内の空気が排出されるので、空気導入孔１８と目地部３０の排気筒３５には高低差がある。また、枠体１７に中空層１６内に空気を導入する空気導入孔１８を形成し、枠体１７とは別部材であるＰＣ版１１に設けた目地部３０を介して中空層１６内の空気が排出されるので、同じ部材に空気導入孔１８と排気構造３５とを設けた場合よりも、圧力差が大きい。つまり、本実施形態によれば、スパンドレル部１５の中空層１６の空気が滞留せずに移動する。
【００３２】
したがって、本実施形態において、太陽光の照射等によりＰＣ版１１に含まれる水分が蒸発したり、湿度の高い空気の流入等によりスパンドレル部１５の中空層１６内の空気の湿度が上昇したとしても、この湿度の高い空気は、中空層１６に滞留せず、上方にある目地部３０に円滑に移動して建物外部に排気される。その結果、本実施形態によれば、スパンドレル部１５のガラスパネル１９の結露を防止することができるのである。
【００３３】
また、本実施形態によれば、目地部３０（排気構造３５）と空気導入孔１８はともに室外側に配されており、暖房加湿による室内の湿度の影響を受けにくく、室内空気の流入がないので結露発生の問題が生じ難い。その結果、本実施形態によれば、室内外の温度差がある場合でも空気導入孔１８や排気構造３５を開閉する必要はない。  
したがって、本実施形態によれば、煩雑な作業を必要とせずにスパンドレル部１５のガラスパネル１９の結露を防止できるカーテンウォール１を提供することができるのである。
【００３４】
さらに、本実施形態においては、中空層１６を取り囲む部材である枠体１７に空気導入孔１８を設けるので、空気導入孔１８と中空層１６との間に空気を導入するために別部材（パイプなど）が不要であり、空気導入孔１８の設置が容易である。
【００３５】
さらに、本実施形態によれば、第２の通気路３３には、その上端３４Ａが目地部３０の下端部３０Ａよりも高い位置に配されるように、通気パイプ３４が取り付けられているから、雨水などが目地部３０を介して第２の通気路３３内に侵入するのを確実に防止することができる。
【００３６】
＜実施形態２＞
次に、本発明の実施形態２を図５によって説明する。
本実施形態のカーテンウォール７１は、ＰＣ版８１の室外側の面８１Ａにひさし部１２がない点および目地部９０をオープンジョイントで構成したという点で実施形態１と相違する。実施形態１と同様の構成には同じ符号を付し重複する説明は省略する。
カーテンウォールユニット８０の上端において、ＰＣ版８１には、Ｃ字状をなすＣ字部８３が形成されている。このＣ字部８３が形成されている部分は、スパンドレル部８５に相当する部分である。
【００３７】
ＰＣ版８１のＣ字部８３のうち、室内側にへこんだ凹み部分８３Ａが形成されている部分には、ガラスパネル８９を内側に配置した枠体８７が取り付けられており、これにより中空層８６が形成されている。
【００３８】
Ｃ字部８３の枠体８７が取り付けられた枠体取付領域８４の上側の領域（隣接領域８２）には、当該隣接領域８２を上下の領域８２Ａ，８２Ｂに分ける目地部９０が形成されている。目地部９０はオープンジョイントで構成されているので、等圧のために排気構造９０が必然的に設置され、この排気構造９０を利用して中空層８６から移動した空気が排気される。
【００３９】
目地部９０から室内側に連なる第３の通気路９１は、目地部９０から上方に立ち上がったのち、室内側に向けて屈曲した屈曲部９１Ａを経てＰＣ版８１の室内側の面（図示せず）に至る位置まで形成されている。
【００４０】
枠体取付領域８４と隣接する隣接領域８２Ａ，８２Ｂのうち目地部９０よりも下側の領域８２Ｂには、室内側に略真横に延びた後、上方に屈曲して第３の通気路９１につらなる第４の通気路９３が形成されている。第４の通気路９３には、その上端部９４Ａが目地部９０の下端部９０Ａよりも高い位置となるように筒状の通気パイプ９４が取り付けられている。
【００４１】
本実施形態の作用について、空気の流れる方向を矢線で示した図５を参照して説明する。
本実施形態において、Ｃ字部８３の枠体８７に設けた空気導入孔８８（空気導入部８８）から中空層８６に導入された空気は、図５に示すように、上方に移動して、ＰＣ版８１の第４の通気路９３の通気パイプ９４内を通り、第３の通気路９１に入る。第３の通気路９１にはパッキン３２が取り付けられているので、第４の通気路９３から第３の通気路９１に移動した空気は、室内側には移動せずに室外側へ移動し、目地部９０を介して建物外部に排気される。
【００４２】
次に、本実施形態の効果について説明する。
本実施形態によれば、実施形態１と同様に、空気導入孔８８と排気構造を有する目地部９０とは高低差がある。枠体８７の下端部に設けた空気導入孔８８から導入された空気が中空層８６において暖められた場合に、暖められた空気が中空層８６のに滞留せずに上方へ円滑に移動し排出されるから、スパンドレル部８５のガラスパネル８９結露を防止することができる。
【００４３】
また、本実施形態によれば、目地部９０（排気構造）と空気導入孔８８はともに室外側に配されており、暖房加湿による室内の湿度の影響を受けにくく、室内空気の流入がないので結露発生の問題が生じ難い。その結果、本実施形態によれば、室内外の温度差がある場合でも空気導入孔８８や目地部９０（排気構造）を開閉する必要はない。
したがって、本実施形態によれば、煩雑な作業を必要とせずにスパンドレル部８５のガラスパネル８９の結露を防止できるカーテンウォール７１を提供することができるのである。
【００４４】
また、本実施形態によれば、実施形態１と同様に、第４の通気路９３に、上端部９４Ａの位置が目地部９０の下端部９０Ａよりも高い位置となるように通気パイプ９４が取り付けられているから、雨水などが目地部９０を介して第４の通気路９３内に侵入するのを確実に防止することができる。
【００４５】
さらに、本実施形態においては、中空層８６を取り囲む部材である枠体８７に空気導入孔８８を設けるので、空気導入孔８８と中空層８６との間に空気を導入するために別部材（パイプなど）が不要であり、空気導入孔８８の設置が容易である。
【００４６】
さらに、本実施形態によれば、目地部９０をオープンジョイントで構成したから、排気構造の面積が大きくなり換気量が多くなるため、結露防止効果を高めることができる。
【００４７】
＜実施形態３＞
次に、本発明の実施形態３を図６〜図８によって説明する。
本実施形態のカーテンウォール１００は、図６における左右方向に隣り合うカーテンウォールユニット１１０，１１０の間に形成された縦目地１１１に室外の空気を導入する空気導入部１１１Ｂを設けた点で実施形態２と相違する。上記実施形態２と同様の構成には同じ符号を付し重複する説明は省略する。
【００４８】
空気導入部１１１Ｂが設けられている縦目地１１１は、図８に示すように、オープンジョイントで構成されているので、等圧のために空気導入部１１１Ｂが必然的に設置され、この空気導入部１１１Ｂを利用して室外の空気が導入される。縦目地１１１を構成するオープンジョイントは、ＰＣ版の室外面から室内方向に形成された第５の通気路１１１Ａに取り付けられている。ＰＣ版８１には第５の通気路１１１Ａから中空層に連通する第６の通気路１１２が形成されており、第６の通気路１１２には通気パイプ１１３が取り付けられている。第５の通気路１１１Ａには、第６の通気路１１２と交差するところよりも室内側にパッキン１１４が取り付けられている。
【００４９】
本実施形態の作用について、空気の流れる方向を矢線で示した図７および図８を参照して説明する。
本実施形態において、縦目地１１１に設けた空気導入部１１１Ｂから導入された空気は、第５の通気路１１１Ａを室内側へ移動する。第５の通気路１１１Ａにはパッキン１１４が取り付けられているので、第５の通気路１１１Ａを移動してきた空気はパッキン１１４よりも室内側へは移動せず、第６の通気路１１２に移動する（図８を参照）。
【００５０】
第６の通気路１１２に移動した空気は、図７に示すように、第６の通気路１１２の通気パイプ１１３内を通り、スパンドレル部８５の中空層８６に入る。中空層８６に入った空気は上方へ移動して、ＰＣ版８１の第４の通気路９３の通気パイプ９４内を通り、第３の通気路９１に入る。第３の通気路９１にはパッキン３２が取り付けられているので、第４の通気路９３から第３の通気路９１に移動した空気は、室内側には移動せずに室外側へ移動し、目地部９０を介して建物外部に排気される。
【００５１】
次に、本実施形態の効果について説明する。
本実施形態によれば、実施形態１と同様に、空気導入部１１１Ｂと排気構造を有する目地部９０とは高低差があり、スパンドレル部８５の中空層８６の空気が滞留せずに上方へ移動するから、スパンドレル部８５のガラスパネル８９の結露を防止することができる。
また、本実施形態によれば、目地部９０（排気構造）と空気導入部１１１Ｂはともに室外側に配されており、暖房加湿による室内の湿度の影響を受けにくく、室内空気の流入がないので結露発生の問題が生じ難い。その結果、室内外の温度差がある場合でも空気導入部１１１Ｂや目地部９０（排気構造）を開閉する必要はない。  
したがって、本実施形態によっても、煩雑な作業を必要とせずにスパンドレル部８５のガラスパネル８９の結露を防止できるカーテンウォール１００を提供することができるのである。
【００５２】
また、本実施形態によれば、実施形態１と同様に、第４の通気路９３に、上端部９４Ａの位置が目地部９０の下端部９０Ａよりも高い位置となるように通気パイプ９４が取り付けられているから、雨水などが目地部９０を介して第４の通気路９３内に侵入するのを確実に防止することができる。
【００５３】
さらに、本実施形態によれば、目地部９０をオープンジョイントで構成したから、排気構造の面積が大きくなり換気量が多くなるため、結露防止効果を高めることができる。
【００５４】
＜他の実施形態＞
本発明は上記記述及び図面によって説明した実施形態に限定されるものではなく、例えば次のような実施形態も本発明の技術的範囲に含まれる。
（１）上記実施形態１〜３では、外側から、スパンドレル部に取り付けられた枠体の全体が見えるものを示したが、例えば、図９に示すように、枠体８７Ａの上部がＰＣ版８１内に収められている構成としてもよい。なお、図９に示すカーテンウォール１２０は、上述以外の構成は実施形態３のカーテンウォールとおおむね同様である。
（２）上記実施形態１では、隣接領域にひさし部を設けたＰＣ版と、シーリング材を充てんした構成の目地部とを備えるものを示したが、目地部をオープンジョイントで構成したものとしてもよい。
（３）上記実施形態では、通気パイプを取り付けた通気路を備えるものを示したが、通気パイプが取り付けられていない通気路のみを備えるものであってもよい。
（４）上記実施形態では、カーテンウォールユニットの上端においてＰＣ版が室外に露出した部分が形成されているものを示したが、上下方向の全域にわたって、ガラスパネルを内側に配置した枠体が取り付けられているカーテンウォールであってもよい。このような構成とすると、外観の美しい建物とすることができ、意匠上好ましい。
【符号の説明】
【００５５】
１，７１，１００，１２０…カーテンウォール
１０，８０，１１０…カーテンウォールユニット
１１，８１…プレキャストコンクリートパネル（ＰＣ版）
１２，８２…隣接領域
１４，８４…枠体取付領域
１５，８５…スパンドレル部
１６，８６…中空層
１７，８７…（スパンドレル部の）枠体
１８，８８…空気導入孔（空気導入部）
１９，８９…（スパンドレル部の）ガラスパネル
２０…窓部
２１…（窓部の）枠体
２２…（窓部の）ガラスパネル
３０…目地部
３０Ａ，９０Ａ…目地部の下端部
３１…第１の通気路（通気路）
３３…第２の通気路（通気路）
３４，９４…通気パイプ（通気筒）
３４Ａ，９４Ａ…通気パイプ（通気筒）の上端
３５  排気筒（排気構造）
９０…目地部（排気構造）
１１１…縦目地
１１１Ｂ…空気導入部
【図１】
0005486418.tif 000002
【図２】
0005486418.tif 000003
【図３】
0005486418.tif 000004
【図４】
0005486418.tif 000005
【図５】
0005486418.tif 000006
【図６】
0005486418.tif 000007
【図７】
0005486418.tif 000008
【図８】
0005486418.tif 000009
【図９】
0005486418.tif 000010